(57)【要約】【課題】容量調整時の発熱量を適切に制御して制御基板を過熱することなく短時間で容量調整を実行できる方法を提供する。【解決手段】複数の二次電池１４と、複数の二次電池を制御する電子部品１５１，１５５および各二次電池の容量調整手段１５２とが実装された制御基板１５とを有する組電池の、各二次電池の容量を電圧値により調整する容量調整方法であって、制御基板１５における容量調整手段１５２の実装位置に応じて容量調整すべき二次電池の優先順位を決定するステップと、優先順位にしたがって容量調整手段を制御し、各二次電池の容量を調整するステップとを有する。【選択図】  図３
2007287416.tif 000002
【特許請求の範囲】
【請求項１】
複数の二次電池と、前記複数の二次電池を制御する電子部品および前記各二次電池の容量調整手段とが実装された制御基板とを有する組電池の、前記各二次電池の容量を電圧値により調整する容量調整方法であって、
前記制御基板における前記容量調整手段の実装位置に応じて容量調整すべき二次電池の優先順位を決定するステップと、
前記優先順位にしたがって前記容量調整手段を制御し、前記各二次電池の容量を調整するステップとを有することを特徴とする二次電池の容量調整方法。
【請求項２】
前記容量調整手段の実装位置に応じて容量調整すべき二次電池の優先順位を決定するステップにおいて、他の容量調整手段に熱影響を与え難い位置に実装された容量調整手段に対応する二次電池の優先順位を高く決定することを特徴とする請求項１記載の二次電池の容量調整方法。
【請求項３】
前記容量調整手段の実装位置に応じて容量調整すべき二次電池の優先順位を決定するステップにおいて、前記制御基板に対して流れる空気流の風下側に実装された容量調整手段に対応する二次電池の優先順位を高く設定することを特徴とする請求項１又は２記載の二次電池の容量調整方法。
【請求項４】
前記電子部品と容量調整手段は、前記制御基板の主面にほぼマトリックス状に実装されていることを特徴とする請求項１〜３の何れかに記載の二次電池の容量調整方法。
【請求項５】
前記制御基板の容量調整前の実温度と限界温度との温度差を求めるステップと、
前記各二次電池の容量調整量の総和を求めるステップと、
前記温度差及び前記容量調整量の総和に基づいて同時に容量調整できる二次電池の個数を演算するステップとを有することを特徴とする請求項１〜４の何れかに記載の二次電池の容量調整方法。
【請求項６】
複数の二次電池と、前記複数の二次電池を制御する電子部品および前記各二次電池の容量調整手段とが実装された制御基板とを有する組電池の、前記各二次電池の容量を電圧値により調整する容量調整装置であって、
前記制御基板における前記容量調整手段の実装位置に応じて容量調整すべき二次電池の優先順位を決定する手段と、
前記優先順位にしたがって前記容量調整手段を制御し、前記各二次電池の容量を調整する手段とを有することを特徴とする二次電池の容量調整装置。
【請求項７】
前記容量調整手段の実装位置に応じて容量調整すべき二次電池の優先順位を決定する手段は、他の容量調整手段に熱影響を与え難い位置に実装された容量調整手段に対応する二次電池の優先順位を高く決定することを特徴とする請求項６記載の二次電池の容量調整装置。
【請求項８】
前記容量調整手段の実装位置に応じて容量調整すべき二次電池の優先順位を決定する手段は、前記制御基板に対して流れる空気流の風下側に実装された容量調整手段に対応する二次電池の優先順位を高く設定することを特徴とする請求項６又は７記載の二次電池の容量調整装置。
【請求項９】
前記電子部品と容量調整手段は、前記制御基板の主面にほぼマトリックス状に実装されていることを特徴とする請求項６〜８の何れかに記載の二次電池の容量調整装置。
【請求項１０】
前記制御基板の容量調整前の実温度を検出する温度検出手段と、
前記温度検出手段で検出した実温度と予め決められた制御基板の限界温度との温度差を求める手段と、
前記各二次電池の容量調整量の総和を求める手段と、
前記温度差及び前記容量調整量の総和に基づいて同時に容量調整できる二次電池の個数を演算する手段とを有することを特徴とする請求項６〜９の何れかに記載の二次電池の容量調整装置。
【発明の詳細な説明】
【技術分野】
【０００１】
本発明は、二次電池の容量調整方法及び装置に関する。
【背景技術】
【０００２】
複数の単電池（二次電池）を接続してなる組電池では、充放電を繰り返したり放置したりすると、各単電池の特性のばらつきにより容量に差が生じてくる。こうした容量差が生じた状態で組電池を使用すると、過充電や過放電となる単電池が発生し、組電池全体の寿命が短くなる。このため、所定の頻度で各単電池の容量を均一化することが行われている。
【０００３】
ところで、正極にコバルト酸リチウム、負極にカーボンを使用したリチウムイオン二次電池や、正極にコバルト酸リチウム、負極にリチウムメタルを使用したリチウム二次電池（以下、これらを総称してリチウム系二次電池ともいう。）では、電解質に炭酸エチレンなどの有機溶媒を使用するため、過充電すると、この有機溶媒が分解して気化し、二次電池の筐体が異常に膨張したり、電解質である有機溶媒が気化してしまうので次の充電時には充電容量が極端に低下したりする。
【０００４】
このため、リチウム系二次電池の組電池では、他より容量の大きい単電池を放電させることにより各単電池の容量を均一にする方法が採用されている。たとえば、特許文献１には、単電池の個々の開放電圧値と、この開放電圧値のうち最大電圧値Ａに最小電圧値Ｂを加えた電圧値の１／ｘとの偏差から、調整量を演算する方法が開示されている。なお、単電池の容量調整は、各単電池に並列接続された容量調整用バイパス抵抗に調整容量に相当する時間だけ放電させることにより行われる。
【０００５】
ところが、多数の容量調整用バイパス抵抗に放電させると放電による発熱量が過大となり、バイパス抵抗に隣接して制御基板に実装されたＣＰＵなどの電子部品に悪影響を及ぼすおそれがある。
【０００６】
【特許文献１】特開２００３−２８４２５３号公報
【発明の開示】
【０００７】
本発明は、容量調整時の発熱量を適切に制御して制御基板を過熱することなく短時間で容量調整を実行できる方法及び装置を提供することを目的とする。
【０００８】
上記目的を達成するために、本発明の二次電池の容量調整方法は、複数の二次電池と、前記複数の二次電池を制御する電子部品および前記各二次電池の容量調整手段とが実装された制御基板とを有する組電池の、前記各二次電池の容量を電圧値により調整する容量調整方法であって、前記制御基板における前記容量調整手段の実装位置に応じて容量調整すべき二次電池の優先順位を決定するステップと、前記優先順位にしたがって前記容量調整手段を制御し、前記各二次電池の容量を調整するステップとを有することを特徴とする。
【０００９】
また、本発明の二次電池の容量調整装置は、複数の二次電池と、前記複数の二次電池を制御する電子部品および前記各二次電池の容量調整手段とが実装された制御基板とを有する組電池の、前記各二次電池の容量を電圧値により調整する容量調整装置であって、前記制御基板における前記容量調整手段の実装位置に応じて容量調整すべき二次電池の優先順位を決定する手段と、前記優先順位にしたがって前記容量調整手段を制御し、前記各二次電池の容量を調整する手段とを有することを特徴とする。
【００１０】
本発明では、組電池を構成する各二次電池の容量を調整するにあたり、発熱源である容量調整手段の実装位置に応じて容量調整すべき二次電池の優先順位を決定する。容量調整手段の実装位置に応じてとは、具体的には他の容量調整手段に熱影響を与え難い位置に実装された容量調整手段を優先順位の高いものとする意味である。これにより、制御基板に局所的な高温部が発生するのを防止することができ、また制御基板の全体にわたっても温度が均一に分布することになり、制御基板を過熱することなく短時間で効率的に容量調整を実行できる。
【発明を実施するための最良の形態】
【００１１】
以下、本発明の実施形態を図面に基づいて説明する。
【００１２】
図１は本発明の容量調整装置の実施形態を示すブロック図、図２は本発明の容量調整装置の動作を示すフローチャート、図３は本発明に係る制御基板における部品の実装位置と容量調整の優先度との関係を示す図、図５は本発明に係る組電池の車載例を示す概念図、図６は本発明に係る組電池の構成例を示す断面図、図７は本発明に係る制御基板の一例を示す斜視図である。
【００１３】
まず、本発明に係る組電池の構成例と車載例について説明すると、本例に係る組電池ユニット１は、図５に示すように車両ＢのトランクルームＢ１内に搭載される。同図に示す例は、組電池ユニット１内に冷風を導入するために、車両のリヤパーセルパネルＢ２に開口部Ｂ３を形成し、ここからダクト１９を介して車室内の空気がユニット１内へ導入される。なお、本発明において、組電池ユニット１の搭載位置は同図に示す例にのみ限定される趣旨ではなく、車室内、床裏、エンジンルーム内等々に搭載することができる。
【００１４】
図６に示すように、本例の組電池ユニット１は、複数枚の薄型二次電池を積み重ねるとともに正負極端子を直列接続したものを電池パック１１とし、これをさらに複数個（同図では４個）積み重ねるとともに両端の正負極端子を直列接続する。そして、こうして積み重ねた電池パック１１を複数列（同図では３列）に並べ、さらにそれぞれの両端の正負極端子を直列接続し、上下に端板１２，１２を設けてボルト１３などで固定する。
【００１５】
また、上の端板１２には、組電池を構成する各二次電池１４（二次電池１４自体は図１に示す。）を制御するための制御基板１５がケース１６に収納された状態で取り付けられている。この制御基板１５は、組電池を構成する各二次電池１４を制御する集積回路などの電子部品１５１や容量調整するための抵抗１５２などが実装されたプリント基板である。
【００１６】
制御基板１５の概観を図７に示すが、配線パターンが形成されたプリント基板１５３の表裏それぞれに、各二次電池１４を制御するための集積回路（ＩＣチップ）１５１と、各二次電池１４の容量調整を行うための抵抗１５２がマトリックス状に実装されている。図７には便宜的に１２個の集積回路１５１と１２個の抵抗１５２を示すが、組電池ユニット１が、たとえば６０個の薄型二次電池１４から構成される場合には、それぞれの二次電池１４の容量調整を行うための６０個の抵抗１５２と６０個の集積回路がプリント基板１５３に実装される。この様子を図１に示す。また、４２個の二次電池１４に対してそれぞれ容量調整を行うための４２個の抵抗１５２と、２つの二次電池１４に対して制御するための２１個の集積回路１５１をプリント基板１５３に実装した例を図３及び図４に示す。なお、同図において１５４は入出力端子が設けられたコネクタ、１５５は組電池全体の制御を司るための集積回路（ＩＣチップ）である。図１，図３及び図７は、集積回路１５１及び抵抗１５２の個数が互いに整合しないが、これは二次電池１４の個数によって集積回路１５１と抵抗１５２とを種々に変更できる例を挙げているためである。
【００１７】
図６に戻り、上下の端板１２,１２で把持された複数の電池パック１１は組電池ケース１７に収納されている。この組電池ケース１７には、車室内の空気を取り入れるための取入口１７１と、組電池ケース１７内に取り入れた空気を排出するための排出口１７２が形成され、取入口１７１には、吸込みファン１８が設けられたダクト１９が接続されている。このダクト１９の上端は、上述した車両ＢのリヤパーセルパネルＢ２の開口部Ｂ３に接続されている。
【００１８】
二次電池は充電時などに発熱することから、電池パック１１に収納された各二次電池１４を冷却するために、吸込みファン１８を作動して車室内の空気を組電池ケース１７に取り込む。組電池ケース１７の取入口１７１から取り入れられた空気は、主として電池パック１１の隙間を通過しながら二次電池１４を冷却し、排出口１７２から排出されるが、一部の空気は上の端板１２に設けられた制御基板１５の冷却にも機能する。この場合、制御基板１５を収納するケース１６の空気流通方向の両端に開口部１６１を形成することでケース１６内に空気を取り込む。この空気によって制御基板１５に実装された容量調整用の抵抗１５２も冷却されることになるが、ケース１６に廻り込む空気量は成り行きであって期待できないことから、本例では容量調整用の抵抗１５２による各二次電池１４の容量調整を、以下のようにしている。
【００１９】
まず、図１を参照しながら本発明に係る容量調整方法及び装置の対象となる組電池ユニット１の電気的構成例を説明する。
【００２０】
本例の組電池ユニット１は、複数の二次電池１４が直列に接続されてなり、その両端に、たとえばスタータモータ、電気自動車の駆動モータなどの車両負荷２が接続されている。
【００２１】
一方、各二次電池１４には、それぞれの二次電池１４の電圧値を検出してこれを制御回路１５５へ送出する電圧検出回路１５１ａと、それぞれの二次電池１４の容量を調整するための抵抗である容量調整回路１５２が接続されている。電圧検出回路１５１ａはたとえば図３，７に示す集積回路１５１に組み込まれている。なお、図１に示すアイソレーション回路１５５ａは複数の二次電池１４のそれぞれに設けられた電圧検出回路１５１ａ及び容量調整回路１５２と、制御回路１５５との間の信号の伝送を、たとえばフォトカプラなどを用いて電気的に絶縁しながら行う絶縁伝送回路であって、たとえば図３，７に示す集積回路１５５に組み込まれている。また、図１に示す制御回路１５５も図３，７に示す集積回路１５５に組み込まれている。
【００２２】
本例では、図３，７に示す制御基板１５の集積回路１５１の近傍に、これら複数実装された集積回路１５１の実温度を検出するための温度センサ３が設けられ、この温度センサ３により検出された実温度Ｔｒは制御回路１５５に送出される。
【００２３】
温度センサ３の個数、配置は特に限定されず、図７に示す複数の集積回路１５１の中央Ｘに１個、または所定間隔の位置Ｙに複数個設けることができる。複数の温度センサを設ける方が後述する容量調整時の実温度Ｔｒの把握がより正確になる。
【００２４】
なお、図１において符号４は、組電池１の全体の電圧値を検出する総電圧センサ、符号５は組電池１の全体に流れる電流を検出する電流センサである。
【００２５】
特に本例では、制御基板１５における抵抗１５２の実装位置に応じて容量調整すべき二次電池１４の優先度を決定する。「制御基板１５における抵抗１５２の実装位置に応じて」の一例として、他の抵抗１５２に熱影響を与え難い位置に実装された抵抗１５２に対応する二次電池１４の優先度を高くする。すなわち、容量調整によって抵抗１５２に余剰電流が流される結果、その抵抗１５２が発熱し、これによって制御基板１５に実装された電子部品１５１，１５５が限界温度を超えるおそれがあるが、発熱する抵抗１５２を、他の抵抗に熱影響を与え難いものから順に選択して発熱させることで、制御基板１５に実装された電子部品１５１，１５５に対する熱影響を最小にすることができる。
【００２６】
たとえば、図３に示す制御基板１５に実装された２１個の抵抗１５２で言えば、同図のグラフにも示すとおり、マトリックス状に実装された抵抗１５２の中で四隅に実装された抵抗１５２に対応する二次電池１４が最も優先度が高く、次いでその隣の抵抗１５２に対応する二次電池１４の優先度が高く、制御基板１５の中央に実装された抵抗１５２に対応する二次電池１４の優先度が最も低くなる。このような実装位置による優先度の決定は、その制御基板１５のレイアウト毎に決定され、それぞれの二次電池１４の配置係数Ｋｎとして制御回路１５５のメモリに記憶させておく。
【００２７】
また、容量調整時に選択される二次電池１４に対応する抵抗１５２の実装位置のほか、その二次電池１４の容量調整量によっても抵抗１５２の発熱量が相関するので、最終的に容量調整すべき二次電池１４を選択するにあたっては、それぞれの二次電池の容量調整量Ｖｎに実装位置を反映した配置係数Ｋｎを乗じることで容量調整の優先度を決定する。
【００２８】
次に、本例の容量調整方法を説明する。
【００２９】
制御基板１５に実装された集積回路１５１，１５５などの電子部品は高温に晒されると誤作動したり破損したりするため、電子部品のグレードによって限界温度Ｔｍが定められている。以下の説明ではこの限界温度Ｔｍを７０℃として、予め制御回路１５５のメモリに記憶させておく。限界温度Ｔｍは、その電子部品が晒されると好ましくない温度を示すもの、換言すれば限界温度を超えない限りその電子部品の動作品質が保証されるといったものである。ここでは、集積回路１５１，１５５が容量調整用抵抗１５２からの熱影響によって限界温度７０℃を超えないように容量調整を実行するものとする。
【００３０】
図２に示すように、ステップＳＴ１０にて容量調整モードかどうかを判断する。この容量調整のタイミングは特に限定されないが、たとえば車両の起動時や停止時などを挙げることができる。勿論、車両の走行時であっても容量調整を行うことは可能である。
【００３１】
ステップＳＴ２０にて、組電池１を構成する各二次電池１４の各電圧検出回路１５１ａを用いて各二次電池１４の容量を電圧値で求め、この電圧値に基づいて各二次電池１４が必要とされる容量調整量を演算する。ここで演算される各二次電池１４の容量調整量について、その演算手法は特に限定されず全ての二次電池の平均値との偏差から決定したり、上述した特許文献１に記載のように最大値と最小値とを用いた偏差から決定したりすることができる。
【００３２】
次に、ステップＳＴ２０にて各二次電池１４の容量調整量Ｖｎが求められたら、これに上述した配置係数Ｋｎ、すなわち各二次電池１４に対応する抵抗１５２の制御基板１５における実装位置の特性値を乗じて、優先度を決定する。
【００３３】
一方、ステップＳＴ４０にて、温度センサ３により制御基板１５の実温度Ｔｒを検出する。制御回路１５５には、上述した限界温度Ｔｍである７０℃という値が記憶されているので、次のステップＳＴ５０にて実温度Ｔｒと限界温度Ｔｍとの差を演算する。
【００３４】
ステップＳＴ４０にて各二次電池１４の容量調整量が求められたら、次のステップＳＴ６０にてこれらを総和し、組電池１の全体で必要とされる容量調整量の総和を演算する。なお、ステップＳＴ２０及びＳＴ３０とステップＳＴ４０〜ＳＴ６０は並行して実行することができる。
【００３５】
制御基板１５の実温度Ｔｒと限界温度Ｔｍとの温度差は、容量調整に許容された熱量を温度で示した値であり、一方、容量調整量の総和は容量調整によって生じる熱量を電力で示した値であるが、これらの次元を合わせることで、その温度差の範囲で行える容量調整量を予測することができる。具体的には、ある二次電池１４に必要とされる容量調整量がＷであるとき、これを容量調整用抵抗１５２に電流を流すことでそのエネルギーＷを消費することができ、その二次電池１４の容量を目標とする電圧値まで下げることができるが、このときの抵抗１５２の抵抗値は既知であることから、抵抗１５２による発熱量が求められる。また、抵抗１５２からの発熱によって制御基板１５がどの程度温度上昇するかも、演算又は実験的に予め求めることができる。したがって、制御基板１５の実温度Ｔｒと限界温度Ｔｍとの温度差が求まれば、この温度差範囲内でどのような順序や同時調整個数で容量調整を行うことができるかを決定することができる。
【００３６】
ステップＳＴ６０では、上述したステップで求められた温度差Ｔｍ−Ｔｒと容量調整量の総和に基づいて、同時に容量調整できる二次電池１４の個数を決定する。温度差が大きい場合や容量調整量の総和が小さい場合などは、全ての二次電池１４を同時に容量調整できるが、温度差が小さい場合や容量調整量の総和が大きい場合には全ての二次電池１４を同時に容量調整すると制御基板１５の限界温度Ｔｍを超えてしまうおそれがあるので、このような場合は二次電池１４の個数を制限して容量調整を開始し、幾つかの二次電池１４の容量調整が終わったら残りの二次電池１４の容量調整を順次行うようにする。
【００３７】
また、次のステップＳＴ７０では、容量調整すべき二次電池１４に順番を付与する。このとき、上述したステップＳＴ３０で決定された優先度を高いものから順に選定する。
【００３８】
容量調整すべき二次電池１４の同時調整個数と順序を決定したら、ステップＳＴ８０にて、選択された二次電池１４の容量調整を開始する。この操作は、図１に示す制御回路１５５から容量調整回路１５２に容量調整用信号を送出し、抵抗１５２に電流を所定時間流すことにより実行される。
【００３９】
次いで、ステップＳＴ９０にて、容量調整を終了した二次電池１４があるかどうかを監視し、終了した二次電池１４があるとステップＳＴ１００へ進んで全ての二次電池１４の容量調整を終了したかどうかを判断し、残っている二次電池１４があるときはステップＳＴ１１０へ進んで次の順番（優先度）の二次電池１４を選択したのち、ステップＳＴ８０へ戻ってその二次電池１４の容量調整を開始する。そしてこのルーチンを繰り返し、ステップＳＴ１００にて全ての二次電池１４の容量調整が終了したら、この処理を終了する。
【００４０】
このように、本例では発熱源である抵抗１５２の実装位置に応じて容量調整すべき二次電池１４の優先順位を決定するので、制御基板１５に局所的な高温部が発生するのを防止することができ、また制御基板１５の全体にわたっても温度が均一に分布することになり、制御基板１５を過熱することなく短時間で効率的に容量調整を実行できる。
【００４１】
ところで、図６に示すように制御基板１５にも成り行きではあるが車室内の空気（冷却風）が流れることは既述した。本発明では、制御基板１５に対して冷却効果を有する媒体が流れる場合に、容量調整すべき二次電池の優先度を、この冷却媒体も考慮して決定することもできる。図４は本発明に係る制御基板１５における部品１５１，１５２，１５５の実装位置と容量調整の優先度との関係の他の例を示す図であり、車室内からの冷却風は、同図の右から左へ向かって流れるものとする。
【００４２】
上述した実施形態においては、車室内からの冷却風の流れを考慮しないで抵抗１５２の実装位置からのみ優先度を決定したが、本例では抵抗１５２の実装位置と車室内からの冷却風とに基づいて、他の抵抗に熱影響を与え難い抵抗１５２に対応した二次電池１４の優先度を高く設定する。
【００４３】
たとえば、図４に示す制御基板１５に実装された２１個の抵抗１５２で言えば、同図のグラフにも示すとおり、マトリックス状に実装された抵抗１５２の中で上下方向に対する優先度は制御基板１５の端に実装された抵抗１５２に対応する二次電池１４が最も優先度が高く、制御基板１５の中央に実装された抵抗１５２に対応する二次電池１４の優先度が最も低くなる。これに対して、同図の左右方向に対しては、冷却風の風下に実装された抵抗１５２は、そこから放出される熱が同図において左方向へ流されるため他の抵抗１５２に熱影響を与え難いといえる。したがって、左右方向については左端の抵抗１５２に対応する二次電池１４の優先度が最も高く、右端の抵抗１５２に対応する二次電池１４の優先度が最も低い。このような実装位置と冷却風の流れによる優先度の決定は、その制御基板１５のレイアウト毎に決定され、それぞれの二次電池１４の配置係数Ｋｎとして制御回路１５５のメモリに記憶させておく。
【００４４】
このように、発熱源である抵抗１５２の実装位置に加えて冷却風の流れ方向に応じて容量調整すべき二次電池１４の優先順位を決定しても、制御基板１５に局所的な高温部が発生するのを防止することができ、また制御基板１５の全体にわたっても温度が均一に分布することになり、制御基板１５を過熱することなく短時間で効率的に容量調整を実行できる。
【００４５】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００４６】
【図１】本発明の容量調整装置の実施形態を示すブロック図である。
【図２】本発明の容量調整装置の動作を示すフローチャートである。
【図３】本発明に係る制御基板における部品の実装位置と容量調整の優先度との関係を示す図である。
【図４】本発明に係る制御基板における部品の実装位置と容量調整の優先度との関係の他の例を示す図である。
【図５】本発明に係る組電池の車載例を示す概念図である。
【図６】本発明に係る組電池の構成例を示す断面図である。
【図７】本発明に係る制御基板の一例を示す斜視図である。
【符号の説明】
【００４７】
１…組電池
１１…電池パック
１４…二次電池
１５…制御基板
１５１…集積回路（電子部品）
１５２…抵抗（容量調整手段）
１５３…プリント基板
１５４…コネクタ
１５５…集積回路（電子部品）
１６…ケース
１７…ケース
１８…吸込みファン
１９…ダクト
２…車両負荷
３…温度センサ（温度検出手段）
４…総電圧センサ
５…電流センサ
【図１】
2007287416.tif 000003
【図２】
2007287416.tif 000004
【図３】
2007287416.tif 000005
【図４】
2007287416.tif 000006
【図５】
2007287416.tif 000007
【図６】
2007287416.tif 000008
【図７】
2007287416.tif 000009